(57)【要約】【課題】  増幅装置の指令に対応していない携帯型プレーヤであっても、増幅装置との間で相互制御することができるコンテンツ再生システムを提供すること。【解決手段】  指令変換装置１４は、増幅装置１１と携帯型プレーヤ１３との間に接続される。増幅装置１１は、複数種別（ＣＤプレーヤ、ＭＤレコーダ、テープレコーダ等）の第１の指令を送受信し、第１の指令に基づいた動作を実行する。携帯型プレーヤ１３は、第２の指令を送受信し、第２の指令に基づいた動作を実行する。指令変換装置１４は、第１の指令の種別を選択する選択手段と、変換手段とを備える。変換手段は、選択手段によって選択された種別に対応する第１の指令を増幅装置１１から受信した場合に、受信した第１の指令を第２の指令に変換し、携帯型プレーヤ１３に送信する。【選択図】図１
2006244607.tif 000002
【特許請求の範囲】
【請求項１】
複数種別の第１の指令を送受信し、該第１の指令に基づいた動作を実行する増幅装置と、第２の指令を送受信し、該第２の指令に基づいた動作を実行するコンテンツ再生装置とに接続可能であり、
該第１の指令の種別を選択する選択手段と、
該選択手段によって選択された種別に対応する第１の指令を該増幅装置から受信した場合、該受信した第１の指令を該第２の指令に変換し、該コンテンツ再生装置に送信する変換手段とを備える、指令変換装置。
【請求項２】
前記第２の指令を前記コンテンツ再生装置から受信した場合、前記変換手段が、該第２の指令を、前記選択手段が選択する種別に対応する第１の指令に変換し、前記増幅装置に送信する、請求項１に記載の指令変換装置。
【請求項３】
前記変換手段が、前記複数種別の第１の指令と前記第２の指令とを対応付ける指令変換テーブルと、
前記選択手段の選択状態および該指令変換テーブルに基づいて、該第１の指令を該第２の指令に変換する、または、該第２の指令を該第１の指令に変換する変換部とを有する、請求項２に記載の指令変換装置。
【請求項４】
前記選択手段によって選択されていない種別の第１の指令を前記増幅装置から受信した場合、前記変換手段が、該受信した第１の指令を前記コンテンツ再生装置に送信しない、請求項１〜３のいずれかに記載の指令変換装置。
【請求項５】
前記コンテンツ再生装置が接続されたか否かを判断する接続検出手段と、
指令入力手段と、
該指令入力手段が操作されたか否かを判断する判断手段と、
該接続検出手段の判断内容および該判断手段の判断内容に基づいて、前記第１の指令を前記増幅装置に送信する、および／または、前記第２の指令を前記コンテンツ再生装置に送信する指令送信手段とをさらに備える、請求項１〜４のいずれかに記載の指令変換装置。
【請求項６】
前記指令送信手段が、前記判断手段が前記指令入力手段が操作されたと判断し、かつ、前記接続検出手段が前記コンテンツ再生装置が接続されていると判断した場合、前記増幅装置に電源回路をオン状態にする第１の指令および／またはセレクタ回路に所定の音声信号入力端子を選択させる第１の指令を送信し、前記コンテンツ再生装置に再生を開始する第２の指令を送信し、
該判断手段が該指令入力手段が操作されたと判断し、かつ、該接続検出手段が該コンテンツ再生装置が接続されていないと判断した場合、該増幅装置に電源回路をオフ状態にする第１の指令を送信する、請求項５に記載の指令変換装置。
【請求項７】
請求項１〜６のいずれかに記載の指令変換装置と、
前記コンテンツ再生装置に電源電圧を供給する電源供給回路と、
前記コンテンツ再生装置から音声信号を受信する音声信号受信手段と、
前記増幅装置に該音声信号を送信する音声信号送信手段とを備える、コンテンツ再生装置の充電装置。
【発明の詳細な説明】
【技術分野】
【０００１】
本発明は、増幅装置とコンテンツ再生装置との間に接続され、増幅装置とコンテンツ再生装置とを相互に制御可能にする指令変換装置に関する。
【背景技術】
【０００２】
従来より、増幅装置の複数の音声入力端子に複数の再生装置（ＣＤプレーヤ、ＭＤレコーダ等）が接続され、増幅装置と再生装置との間で指令を送受信することによって相互に制御するシステムが用いられている。このシステムによると、例えば、増幅装置の電源がオン状態になると、増幅装置は電源をオン状態にする指令を再生装置に送信する。再生装置は、その指令に基づいて電源をオン状態にする。一方、再生装置がコンテンツの再生を開始すると、コンテンツ再生装置は「電源をオン状態にし、かつ、セレクタを切り換える」指令を増幅装置に送信する。増幅装置は、その指令に基づいて電源をオン状態にし、指令を送信した再生装置が接続されている音声入力端子にセレクタを切り換える。以上のように、増幅装置または再生装置の一方を操作することにより、他方の装置も自動的に操作者の操作に対応する動作を実行する。従って、操作者は、増幅装置および再生装置の両方を操作する必要がなく、操作が非常に容易になる。
【０００３】
また、増幅装置と再生装置との間で送受信される指令は、増幅装置に接続される装置の種別によって異なるようにしている。例えば、増幅装置とＣＤプレーヤとの間の制御には、ＣＤプレーヤ用の指令が用いられる。増幅装置とＭＤレコーダとの間の制御には、ＭＤレコーダ用の指令が用いられる。そのため、ＭＤレコーダは、ＣＤプレーヤ用の指令を増幅装置から受信しても動作することはない。従って、増幅装置に接続されている再生装置が誤った動作を実行することを防止できる。
【０００４】
しかし、上記従来のシステムには以下のような問題がある。増幅装置に接続される再生装置が増幅装置との間で用いられる指令に対応していない場合、増幅装置との間で相互制御することができない。そのため、操作者は、独立した増幅装置と再生装置とを別々に操作する必要があり、操作が非常に面倒になる。例えば、当該指令に対応していない携帯型の再生装置（ハードディスクプレーヤ等）を増幅装置に接続することが考えられ得るが、この場合、携帯型再生装置の本体キーを操作して再生状態にする操作と、増幅装置の電源をオン状態にする操作と、増幅装置のセレクタをハードディスクプレーヤが接続された音声入力端子に切り換える操作とが個別に必要になる。
【０００５】
【特許文献１】特開２００３−２９８９７５号公報
【発明の開示】
【発明が解決しようとする課題】
【０００６】
本発明の目的は、増幅装置の指令に対応していない再生装置であっても、増幅装置との間で相互制御することができるシステムを提供することである。
【課題を解決するための手段】
【０００７】
本発明の好ましい実施形態による指令変換装置は、複数種別の第１の指令を送受信し、該第１の指令に基づいた動作を実行する増幅装置と、第２の指令を送受信し、該第２の指令に基づいた動作を実行するコンテンツ再生装置とに接続可能であり、該第１の指令の種別を選択する選択手段と、該選択手段によって選択された種別に対応する第１の指令を該増幅装置から受信した場合、該受信した第１の指令を該第２の指令に変換し、該コンテンツ再生装置に送信する変換手段とを備える。
【０００８】
増幅装置は、第１の指令を指令変換装置に送信する。指令変換装置は、選択手段が選択する種別に対応する第１の指令を増幅装置から受信すると、第１の指令を第２の指令に変換してコンテンツ再生装置に送信する。コンテンツ再生装置は、第２の指令に基づいた動作を実行する。その結果、第１の指令では動作を実行できないコンテンツ再生装置であっても、増幅装置からの第１の指令に基づいた動作を実行することができる。さらに、増幅装置の複数の音声入力端子の中から、所望の音声入力端子に指令変換装置を接続して、接続した音声入力端子の種別と同じ種別を選択手段が選択する。これにより、操作者は、選択手段が選択する種別の装置を動作させる指令（例えば、選択手段がテープレコーダを選択する場合、テープレコーダを動作させる指令）を増幅装置に入力することにより、第１の指令には対応していないコンテンツ再生装置を動作させることができる。すなわち、指令変換装置を増幅装置の任意の音声入力端子に接続することができるので、コンテンツ再生装置を接続していない音声入力端子に指令変換装置を接続できる。
【０００９】
好ましい実施形態においては、上記第２の指令を前記コンテンツ再生装置から受信した場合、上記変換手段は、該第２の指令を、前記選択手段が選択する種別に対応する第１の指令に変換し、前記増幅装置に送信する。
【００１０】
コンテンツ再生装置は、指令変換装置に第２の指令を送信する。指令変換装置は、コンテンツ再生装置から第２の指令を受信すると、第２の指令を選択手段が選択する種別に対応した第１の指令に変換し、増幅装置に送信する。増幅装置は、第１の指令に基づいた動作を実行する。その結果、第１の指令を送信できないコンテンツ再生装置であっても、第２の指令を送信することにより、増幅装置を制御することができる。さらに、増幅装置の複数の音声入力端子の中から、所望の音声入力端子に指令変換装置を接続して、接続した音声入力端子の種別と同じ種別を選択手段が選択する。これにより、増幅装置は、選択手段が選択する種別の再生装置から第１の指令が送信されたことを判断できる。例えば、指令変換装置がテープレコーダの音声入力端子に接続され、選択手段がテープレコーダを選択する。コンテンツ再生装置が再生を開始すると、増幅装置は指令変換装置からの第１の指令（種別がテープレコーダ）に基づいて、セレクタ回路にテープレコーダの音声入力端子を選択させることができる。
【００１１】
好ましい実施形態においては、上記変換手段は、上記複数種別の第１の指令と上記第２の指令とを対応付ける指令変換テーブルと、上記選択手段の選択状態および該指令変換テーブルに基づいて、該第１の指令を該第２の指令に変換する、または、該第２の指令を該第１の指令に変換する変換部とを有する。
【００１２】
指令変換装置が増幅装置から第１の指令を受信すると、第１の指令が選択手段が選択する種別に対応している場合、変換部は指令変換テーブルに基づいて第１の指令を第２の指令に変換し、コンテンツ再生装置に送信する。一方、指令変換装置がコンテンツ再生装置から第２の指令を受信すると、変換部が指令変換テーブルに基づいて第２の指令を選択手段が選択する種別の第１の指令に変換し、増幅装置に送信する。従って、第１の指令に対応していないコンテンツ再生装置であっても、指令変換手段が変換部と指令変換テーブルとを有することにより、増幅装置と相互制御することができる。
【００１３】
好ましい実施形態においては、上記選択手段によって選択されていない種別の第１の指令を上記増幅装置から受信した場合、上記変換手段が、該受信した第１の指令を前記コンテンツ再生装置に送信しない。
【００１４】
指令変換装置は、増幅装置から第１の指令を受信しても、第１の指令が選択手段が選択する種別に対応していない場合、第２の指令をコンテンツ再生装置に送信しない。その結果、操作者の操作に対して誤ってコンテンツ再生装置が動作を実行することを防止できる。
【００１５】
好ましい実施形態においては、上記指令変換装置は、上記コンテンツ再生装置が接続されたか否かを判断する接続検出手段と、指令入力手段と、該指令手段が操作されたか否かを判断する判断手段と、該接続検出手段の判断内容および該判断手段の判断内容に基づいて、上記第１の指令を上記増幅装置に送信する、および／または、上記第２の指令を上記コンテンツ再生装置に送信する指令送信手段とをさらに備える。
【００１６】
好ましい実施形態においては、上記指令送信手段は、上記判断手段が上記指令入力手段が操作されたと判断し、かつ、上記接続検出手段が上記コンテンツ再生装置が接続されていると判断した場合、上記増幅装置に電源回路をオン状態にする第１の指令および／またはセレクタ回路に所定の音声信号入力端子を選択させる第１の指令を送信し、上記コンテンツ再生装置に再生を開始する第２の指令を送信する。該判断手段が該指令入力手段が操作されたと判断し、かつ、該接続検出手段が該コンテンツ再生装置が接続されていないと判断した場合、該増幅装置に電源回路をオフ状態にする第１の指令を送信する。
【００１７】
コンテンツ再生装置が充電装置に接続されている状態で、指令入力手段が操作（例えば、指令入力ボタンが押下）されると、充電装置の指令送信手段は第１の指令を増幅装置に送信し、コンテンツ再生装置に第２の指令を送信する。増幅装置は、この第１の指令に基づいて、自動的に電源回路をオン状態にし、かつ、セレクタ回路を切り換えることができる。コンテンツ再生装置はこの第２の指令に基づいて自動的に再生を開始する。一方、コンテンツ再生装置が充電装置に接続されていない状態で、指令入力手段が操作されると、充電装置の指令送信手段は第１の指令を増幅装置に送信する。増幅装置は、この第１の指令に基づいて、電源回路をオフ状態にする。さらに、増幅装置は、指令変換装置に接続されたコンテンツ再生装置以外のコンテンツ再生装置（ＣＤプレーヤ等）に電源をオフ状態にするための第１の指令を送信する。これらのコンテンツ再生装置は、第１の指令に基づいて電源回路をオフ状態にする。従って、操作者は充電装置の指令入力手段を操作するだけで、接続状態に基づいて、最適な第１の指令を増幅装置（およびその他のコンテンツ再生装置）に送信することができる。さらに、最適な第２の指令をコンテンツ再生装置に送信できる。その結果、操作者は、操作すべき内容を考えて増幅装置およびコンテンツ再生装置に指令を入力する必要がなくなり、操作が非常に容易になる。
【００１８】
本発明の別の局面においては、コンテンツ再生装置の充電装置が提供され得る。この充電装置は、上記いずれかに記載の指令変換装置と、上記コンテンツ再生装置に電源電圧を供給する電源供給回路と、上記コンテンツ再生装置から音声信号を受信する音声信号受信手段と、上記増幅装置に該音声信号を送信する音声信号送信手段とを備える。
【００１９】
指令変換装置をコンテンツ再生装置に電源電圧を供給する充電装置内に設けることにより、コンテンツ再生装置を充電装置に設置するだけで、きわめて容易にコンテンツ再生装置と指令変換装置とを接続することができる。しかも、第１の指令および第２の指令の変換と、コンテンツ再生装置への電源供給とを同時に実行することができる。
【発明の効果】
【００２０】
本発明によると、指令変換装置が選択手段および変換手段を備えるので、第１の指令に対応していないコンテンツ再生装置であっても、増幅装置と相互に制御することができる。
【発明を実施するための最良の形態】
【００２１】
以下、本発明の好ましい実施形態について、図面を参照して具体的に説明するが、本発明はこれらの実施形態には限定されない。図１は、本発明の好ましい実施形態による指令変換装置１４を備えるコンテンツ再生システム１０を示す概略図である。コンテンツ再生システム１０は、増幅装置１１、増幅装置１１と相互に制御可能な一または複数のコンテンツ再生装置１２（例えばＣＤプレーヤ１２Ａ、ＭＤレコーダ１２Ｂ等）、増幅装置１１と相互に制御不可能なコンテンツ再生装置１３（例えば、携帯型ハードディスク（ＨＤＤ）プレーヤ、以下、携帯型プレーヤとする）、および指令変換装置１４を備える。
【００２２】
コンテンツ再生装置１２はコンテンツ（例えば、音声データ）を再生して増幅装置１１に送信する。携帯型プレーヤ１３は、指令変換装置１４を介してコンテンツデータ（例えば、音声データ）を増幅装置１１に送信する。増幅装置１１はコンテンツ再生装置１２および携帯型プレーヤ１３から送信される音声データの中から１つを選択し、増幅し、図示しないスピーカーを介して音声として出力する。コンテンツ再生装置１２は通信ケーブルを介して増幅装置１１に接続される。携帯型プレーヤ１３は指令変換装置１４に接続され、指令変換装置１４は通信ケーブルを介して増幅装置１１に接続される。コンテンツ再生装置１２は、通信ケーブルを介して増幅装置１１との間で第１の指令を送受信する。ここで、指令とは、相手側の装置を制御するための命令、および自身の動作状態通知の総称であり、これを相手側装置が受信した際に相手側装置が所定の動作を実行するものである。第１の指令は、増幅装置１１との間で相互制御するための指令である。一方、指令変換装置１４は、増幅装置１１から受信した第１の指令を第２の指令に変換して携帯型プレーヤ１３に送信する。また、指令変換装置１４は、携帯型プレーヤ１３から受信した第２の指令を第１の指令に変換して増幅装置１１に送信する。第２の指令は、増幅装置１１とは相互に制御できない指令であり、携帯型プレーヤ専用の指令である。
【００２３】
増幅装置１１は、複数のコンテンツ再生装置１２が接続されるので、コンテンツ再生装置毎に異なる種別の第１の指令を送受信する。ここで、種別とは接続されるコンテンツ再生装置の種類を表し、例えばＣＤプレーヤ、ＭＤレコーダ、テープレコーダおよびＤＶＤプレーヤ等である。コンテンツ再生装置１２は、自装置の種別に対応する第１の指令を増幅装置１１から受信した場合に、受信した第１の指令に基づいた動作を実行する。逆に、コンテンツ再生装置１２は、自装置の種別に対応する第１の指令を増幅装置１１に送信し、増幅装置１１は受信した第１の指令の種別を判断することで、どのコンテンツ再生装置１２から第１の指令を受信したかを認識できる。また、増幅装置１１は、種別によって共通であるシステム全体を動作させるための第１の指令を送信する。この第１の指令を受信した全てのコンテンツ再生装置１２は、第１の指令に基づいた動作を実行する。
【００２４】
指令変換装置１４は、その構成を図２に示す通り、携帯型プレーヤ１３に電源電圧を供給する充電装置２００内に設けられる。しかし、これに限定されず、指令変換装置１４は、他の装置または携帯型プレーヤ１３内部に設けられてもよい。指令変換装置１４は、選択手段（種別選択スイッチ２０１等を含む）および変換手段（変換部２０２Ｂ、指令変換テーブル２０３Ａ、通信回路２０３、２０５等を含む）を備える。
【００２５】
選択手段は、増幅装置１１との間で送受信する第１の指令の種別を選択する。つまり、選択手段１１は、複数種別の第１の指令の中から、携帯型プレーヤ１３が動作を実行する第１の指令の種別を選択する。すなわち、選択手段は、増幅装置１１が、携帯型プレーヤ１３がどの種別のコンテンツ再生装置であると認識するかを選択する。
【００２６】
選択手段は、種別選択スイッチ２０１を含む。種別選択スイッチ２０１は、例えば図３に示すようにスライド式ツマミを有し、（ａ）は種別としてテープレコーダが選択された状態を表す。この場合、増幅装置１１がテープレコーダに対応する第１の指令（例えば、テープレコーダを再生する指令）を送信した場合に、携帯型プレーヤ１３が動作を実行する。つまり、（ａ）の状態においては、操作者はリモコンを操作してテープレコーダを動作させる指令を入力することにより、携帯型プレーヤ１３を操作することができる。また、（ｂ）は種別としてＭＤレコーダが選択された状態を表す。
【００２７】
変換手段は、選択手段によって選択された種別に対応する第１の指令を受信した場合、受信した第１の指令を携帯型プレーヤ１３用の第２の指令に変換して携帯型プレーヤ１３に送信する。ここで、選択手段によって選択された種別に対応する第１の指令とは、当該種別の第１の指令の他に、全ての種別に共通のシステム用の第１の指令を含む。一方、変換手段は、携帯型プレーヤ１３から第２の指令を受信した場合、選択手段が選択する種別に対応する第１の指令に変換して、増幅装置１１に送信する。
【００２８】
変換手段は、マイコン処理部２０２内の変換部２０２Ｂと、ＲＯＭ２０３（マイコン処理部２０２に内蔵されてもよい）内の指令変換テーブル２０３Ａと、増幅装置１１との間で第１の指令を送受信する通信回路２０３および指令入出力端子２０４と、携帯型プレーヤ１３との間で第２の指令を送受信する通信回路２０５および（接続コネクタ２０６内の）指令入出力端子２０６Ａとを含む。変換部２０２Ｂは、増幅装置１１から受信した第１の指令の種別が、種別選択スイッチ２０１が選択する種別に対応するかを判断し、対応していれば、指令変換テーブル２０３Ａに基づいて、携帯型プレーヤ１３用の指令に変換する。図４は、指令変換テーブルを示す図である。図４（ａ）は、増幅装置１１から受信した第１の指令を第２の指令に変換する際のテーブルである。各種別に対応する第１の指令と、変換後の第２の指令とが対応付けて登録されている。図４（ｂ）は、携帯型プレーヤ１３から受信した第２の指令を第１の指令に変換する際のテーブルである。第２の指令と、各種別に対応する変換後の第１の指令とが対応付けて登録されている。
【００２９】
図２に戻って、充電装置２００（指令変換装置１４）は、マイコン処理部２０２（システム動作部２０２Ａおよび接続検出部２０２Ｃ）、接続コネクタ２０６（充電端子２０６Ｂ、接続検出端子２０６Ｃおよび音声入力端子２０６Ｄ）、電源回路２０７、電源供給回路２０８、動作表示部２０９、ＭＵＴＥ回路２１０ならびに音声出力端子２１１をさらに備える。システム動作部２０２ＡはＲＯＭ２０３内に格納されたプログラムを実行することにより充電装置２００全体の動作を制御する。接続検出部（接続検出手段）２０２Ｃは、接続検出端子２０６Ｃが携帯型プレーヤ１３の接続検出端子に接続された際に、携帯型プレーヤ１３が充電装置２００に接続されたことを検出する。電源供給回路２０８は、充電端子２０６Ｂを介して電源電圧を携帯型プレーヤ１３に供給する。音声入力端子２０６Ｄは、携帯型プレーヤ１３から音声データが入力される。音声出力端子２１１は、音声入力端子２０６ＤおよびＭＵＴＥ回路２１０からの音声データを増幅装置１１に出力する。電源回路２０７は、商用交流（直流）電源が与えられ、充電装置２００の各部に電源電圧を供給する。動作表示部２０９は、ＬＥＤを点灯することにより、充電装置２００に電源電圧が供給されていることを操作者に知らせる。あるいは、動作表示部２０９は、システム動作により携帯型プレーヤ１３が再生可能状態であることを操作者に知らせる。例えば、充電装置２００が、電源をオン状態にする第２の指令（ＰｏｗｅｒＯｎ）または再生を開始する第２の指令（Ｐｌａｙ）等を携帯型プレーヤ１３に送信する（すなわち、携帯型プレーヤの電源をオン状態にさせる）と、ＬＥＤを点灯させる。また、ＬＥＤを点灯させる色を、接続される携帯型プレーヤから送信された機種ＩＤ、シリアル番号等の携帯型プレーヤ１３の識別情報に基づいて、変化させてもよい。この場合、赤色の携帯型プレーヤが接続された場合には、ＬＥＤを赤色に点灯させることができる。ＭＵＴＥ回路２１０は、必要に応じて、増幅装置１１に出力する音声データをミュート状態にする。充電装置２００（指令変換装置１４）は、携帯型プレーヤ１３が有する特殊な音声信号出力端子を増幅装置１１が有する一般的な音声入力端子に対応する一般的な音声出力端子に変換する機能を備えている。
【００３０】
図５は、携帯型プレーヤ１３の構成を示す概略図である。携帯型プレーヤ１３は、マイコン処理部５０１、コンテンツ記録部５０２、通信回路５０３、接続コネクタ５０４、デジタル／アナログ変換回路５０５、電源制御回路５０６、バッテリ部５０７、表示部５０８および入力部５０９を備える。マイコン処理部５０１は、制御部５０１Ａ、デコード部５０１Ｂおよび時計処理部５０１Ｃを含む。接続コネクタ５０４は、指令入出力端子５０４Ａ、充電端子５０４Ｂ、接続検出端子５０４Ｃおよび音声出力端子５０４Ｄを含む。
【００３１】
制御部５０１Ａは、指令入出力端子５０４Ａおよび通信回路５０３を介して指令変換装置１４から受信した第２の指令に基づいて、各部の動作を制御する。また、制御部５０１Ａは、第２の指令を通信回路５０３および指令入出力端子５０４Ａを介して指令変換装置１４に送信する。デコード部５０１Ｂは、コンテンツ記録部（例えば、ＨＤＤ）からの音声データをデコードして、デジタルアナログ変換回路５０５に与える。デジタルアナログ変換回路５０５は、デコード部５０１Ｂからの音声データをアナログ信号に変換し、音声出力端子５０４Ｄを介して充電装置２００に出力する。時計処理部５０１Ｃは、後述のタイマ動作のための時間を計時する。電源制御回路５０６は、充電端子５０４Ｂを介して充電装置２００から供給された電源電圧をバッテリ部５０７に与え、かつ、バッテリ部５０７に充電された電源電圧を携帯型プレーヤ１３の各部に供給する。表示部５０８は、液晶表示部等を含み携帯型プレーヤ１３の動作状態等を表示する。
【００３２】
図６は、増幅装置１１の構成を示す概略図である。増幅装置１１は、マイコン処理部６０１、通信回路６０２、指令入出力端子６０３、セレクタ回路６０４、増幅回路６０５、音声出力端子６０６、複数の音声入力端子６０７、リモコン信号受信回路６０８および電源回路６０９を備える。マイコン処理部６０１は、システム動作部６０１Ａおよび時計処理部６０１Ｂを含む。
【００３３】
リモコン信号受信回路６０８は、システムリモコン６１０から受信したリモコン信号（第１の指令）を電気信号に変換する。システム動作部６０１Ａは、リモコン信号受信回路６０８からの第１の指令を、通信回路６０２および指令入出力端子６０３を介して指令変換部１４に送信する。あるいは、システム動作部６０１Ａは、リモコン信号受信回路６０８からの指令に基づいて各部を制御したあと、全ての種別に共通のシステム用の第１の指令を指令変換装置１４に送信する。システム動作部６０１Ａは、指令入出力端子６０３および通信回路６０２を介して指令変換装置１０４から受信した第１の指令に基づいて、各部を制御する。時計処理部６０１Ｂは、タイマー動作のための時間を計時する。音声入力端子６０７は図１に示す通り複数のコンテンツ再生装置１２および指令変換装置１４を接続可能であり、コンテンツ再生装置１２および指令変換装置１４から音声データが入力される。セレクタ回路６０４は、音声入力端子６０７を介して入力され増幅回路６０５に与える音声データを選択する。選択された音声データは増幅回路６０５で増幅され、音声出力端子６０６を介して図示しないスピーカーを介して音声として出力される。
【００３４】
以上の構成を有するコンテンツ再生システム１０について図７〜図９を参照してその動作を説明する。図７に示すとおり、種別選択スイッチ２０１がテープレコーダを選択する場合、充電装置２００の音声出力端子２１１は、増幅装置１１のテープレコーダ用の音声入力端子６０７に接続される。これは、後述するように携帯型プレーヤ１３から再生開始を通知する指令（Ｐｌａｙ）が送信されたときに、増幅装置１１のセレクタ回路６０４がテープレコーダの音声入力端子を自動的に選択するためである。以下、種別選択スイッチがテープレコーダを選択する場合を説明する。
【００３５】
まず、指令変換装置１４が増幅装置１１から第１の指令を受信する場合について説明する。図８に示す通り、指令変換装置１４は増幅装置１１から第１の指令を受信すると（Ｓ８０１：ＹＥＳ）、種別選択スイッチ２０１の選択状態を確認し、受信した第１の指令が種別選択スイッチ２０１が選択する種別に対応する指令であるかを判断する（Ｓ８０２、Ｓ８０３）。種別選択スイッチ２０１がテープレコーダを選択しているとき、テープレコーダに対応する第１の指令を受信した場合（Ｓ８０３：ＹＥＳ）、指令変換装置１４は、受信した第１の指令を指令変換テーブル２０３Ａに基づいて、携帯型プレーヤ１３用の第２の指令に変換する（Ｓ８０４）。次に、充電装置２００は、増幅装置１１に送信する必要のある第１の指令が存在するか否かを判断し（Ｓ８０５）、ある場合には増幅装置１１に第１の指令を送信する（Ｓ８０６）。なお、増幅装置１１に送信する必要のある第１の指令は、例えば、図１９および図２０で後述する指令（ＴＡＰＥ  ＤＣＨＧ）等である。次に、指令変換装置１４は、携帯型プレーヤ１３に指令変換テーブルに基づいて変換した第２の指令を送信する（Ｓ８０７）。一方、Ｓ８０３において受信した第１の指令が種別選択スイッチ２０１が選択する種別に対応しない（例えば、種別選択スイッチがテープレコーダを選択しているとき、ＭＤレコーダ用の第１の指令を受信した）場合、受信した第１の指令を携帯型プレーヤ１３に送信せず、処理を終了する。
【００３６】
次に、指令変換装置１４が携帯型プレーヤ１３から第２の指令を受信する場合について説明する。図９に示す通り、指令変換装置１４は携帯型プレーヤ１３から第２の指令を受信すると（Ｓ９０１：ＹＥＳ）、種別選択スイッチ２０１の選択状態を確認し（Ｓ９０２）、指令変換テーブル２０３Ａに基づいて種別選択スイッチ２０１が選択する種別の第１の指令に変換する（Ｓ９０３）。本例では、種別選択スイッチ２０１がテープレコーダを選択するので、第２の指令はテープレコーダ用の第１の指令に変換される。その後、指令変換装置１４は、増幅装置１１に第２の指令を送信する（Ｓ９０４）。
【００３７】
以上のように、充電装置２００（指令変換装置１４）が、増幅装置１１用の指令（第１の指令）と携帯型プレーヤ１３用の指令（第２の指令）とを相互に変換して送受信する。従って、増幅装置１１の指令には対応していない携帯型プレーヤであっても、増幅装置１１からの指令によって動作することができる。さらに、携帯型プレーヤ１３専用の指令によって、増幅装置１１を制御することができる。
【００３８】
次に、コンテンツ再生システム１０の具体的な動作の実施例について説明する。
［システムオン連動動作］
本例では、増幅装置１１の電源をオン状態にすると、自動的に携帯型プレーヤの電源をオン状態にする。図１０に示す通り、操作者がリモコンを使って増幅装置１１の電源をオン状態にする指令を増幅装置１１に入力すると、システム動作部６０１Ａがその指令を受信して（Ｓ１００１）、電源回路６０９をオン状態にする（Ｓ１００２）。システム動作部６０１Ａは、充電装置２００およびＣＤプレーヤ１２Ａに、電源をオン状態にする第１の指令（ＰＯＮ）を送信する（Ｓ１００３）。この指令（ＰＯＮ）は、各種別に共通のシステム用の指令であるので、通信ケーブルを介して接続されている全ての装置はこの指令を受信すると、電源がオン状態になる。充電装置２００が第１の指令（ＰＯＮ）を受信すると、変換部２０２Ｂが第１の指令（ＰＯＮ）を図４（ａ）の指令変換テーブル２０３Ａに基づいて携帯型プレーヤ１３用の第２の指令（ＰｏｗｅｒＯＮ）に変換し（Ｓ１０２１）、携帯型プレーヤ１３に送信する（Ｓ１０２２）。携帯型プレーヤ１３は、充電装置２００から第２の指令（ＰｏｗｅｒＯＮ）を受信し（Ｓ１０４１）、電源をオン状態にする（Ｓ１０４２）。また、ＣＤプレーヤ１２Ａも第１の指令（ＰＯＮ）を受信し（Ｓ１０６１）、電源をオン状態にする（Ｓ１０６２）。
【００３９】
［システムオフ連動動作］
本例では、増幅装置１１の電源をオフ状態にすると、自動的に携帯型プレーヤ１３の電源をオフ状態にする。図１１に示す通り、操作者がリモコンを使って増幅装置１１の電源をオフ状態にする指令を増幅装置１１に入力すると、システム動作部６０１Ａがその指令を受信し（Ｓ１１０１）、電源回路６０９をオフ状態（マイコン処理部２０２のみに電源を供給するスタンバイ状態。以下同様。）にする（Ｓ１１０２）。システム動作部６０１Ａは、充電装置２００およびＣＤプレーヤ１２Ａに電源をオフ状態にする第１の指令（ＰＯＦＦ）を送信する（Ｓ１１０３）。この指令（ＰＯＦＦ）は、種別によって共通のシステム用の指令であるので、通信ケーブルを介して接続されている全ての装置はこの指令を受信すると電源をオフ状態にする。充電装置２００が第１の指令（ＰＯＦＦ）を受信すると、変換部２０２Ｂが第１の指令（ＰＯＦＦ）を指令変換テーブル２０３Ａに基づいて第２の指令（ＰｏｗｅｒＯＦＦ）に変換し（Ｓ１１２１）、携帯型プレーヤ１３に送信する（Ｓ１１２２）。携帯型プレーヤ１３は、充電装置２００から第２の指令（ＰｏｗｅｒＯＦＦ）を受信し（Ｓ１１４１）、電源をオフ状態にする（Ｓ１１４２）。また、ＣＤプレーヤ１２Ａも第１の指令（ＰＯＦＦ）を受信し（Ｓ１１６１）、電源をオフ状態にする（Ｓ１１６２）。
【００４０】
［システムタイマーオン連動動作］
本例では、操作者がある時刻にテープレコーダを再生開始させる旨を増幅装置に設定する。設定時刻になると、増幅装置１１の電源がオン状態になり、携帯型プレーヤ１３の電源をオン状態にし、再生を開始させる。図１２に示すとおり、増幅装置１１の時計処理部６０１Ｂが、現在時刻が操作者によって指定された時刻であることを判断すると（Ｓ１２０１）、システム操作部６０１Ａが電源回路６０９をオン状態にする（Ｓ１２０２）。増幅装置１１は、第１の指令（ＰＯＮ）を充電装置２００およびＣＤプレーヤ１２Ａに送信する（Ｓ１２０３）。充電装置２００は、増幅装置１１から第１の指令（ＰＯＮ）を受信すると、第２の指令（ＰｏｗｅｒＯＮ）に変換し（Ｓ１２２１）、携帯型プレーヤ１３に送信する（Ｓ１２２２）。携帯型プレーヤ１３は、第２の指令（ＰｏｗｅｒＯＮ）を受信し（Ｓ１２４１）、電源をオン状態にする（Ｓ１２４２）。次に、増幅装置１１のシステム動作部６０１Ａは、セレクタ回路６０４にテープレコーダの音声入力端子を選択させる（Ｓ１２０４）。システム動作部６０１Ａは、テープレコーダを再生（ダイレクトプレイ）開始させる第１の指令（ＴＡＰＥ  ＤＰＬＹ）を送信する（Ｓ１２０５）。充電装置２００は、第１の指令（ＴＡＰＥ  ＤＰＬＹ）を受信すると、第２の指令（Ｐｌａｙ）に変換し（Ｓ１２２３）、携帯型プレーヤ１３に送信する（Ｓ１２２４）。携帯型プレーヤ１３は、第２の指令（Ｐｌａｙ）を受信すると（Ｓ１２４３）、再生を開始する（Ｓ１２４４）。
【００４１】
［システムタイマーオフ連動動作］
増幅装置１１は、操作者が指定した時刻に、システム全体の電源をオフ状態にするよう制御する。なお、具体的な動作は、図１１の動作と同様であり、異なるのは操作者がリモコンを操作してオフ状態にする指令を入力するのではなく、現在時刻が操作者が指定した時刻であることを時計処理部６０１Ｂが判断すると、システム動作部６０１Ａがシステム全体の電源をオフ状態にするよう制御することである。
【００４２】
［ダイレクトプレイ連動動作］
本例では、増幅装置１１のセレクタ回路がテープレコーダの音声入力端子を選択すると、自動的に携帯型プレーヤ１３が再生を開始する。図１３に示すとおり、操作者がリモコンを操作して、セレクタ回路６０４にテープレコーダの音声入力端子を選択させる指令を入力すると（Ｓ１３０１）、セレクタ回路６０４がテープレコーダの音声入力端子を選択する（Ｓ１３０２）。システム動作部６０１Ａは、テープレコーダを再生（ダイレクトプレイ）開始させる第１の指令（ＴＡＰＥ  ＤＰＬＹ）を送信する（Ｓ１３０３）。充電装置２００は、第１の指令（ＴＡＰＥ  ＤＰＬＹ）を受信すると、第２の指令（Ｐｌａｙ）に変換し（Ｓ１３２１）、携帯型プレーヤ１３に送信する（Ｓ１３２２）。携帯型プレーヤ１３は、第２の指令（Ｐｌａｙ）を受信し（Ｓ１３４１）、再生を開始する（Ｓ１３４２）。
【００４３】
［オートパワーオン連動動作］
本例では、携帯型プレーヤ１３の電源をオン状態にすると、自動的に増幅装置１１の電源をオン状態にし、セレクタ回路にテープレコーダの音声入力端子を選択させる。図１４に示すとおり、携帯型プレーヤ１３は、操作者が携帯型プレーヤ１３本体の電源ボタンを操作することによって、電源をオン状態にする指令が入力されると（Ｓ１４４１）、電源をオン状態にする（Ｓ１４４２）。携帯型プレーヤ１３の制御部５０１Ａは、携帯型プレーヤ１３の電源がオン状態になったことを通知する第２の指令（ＰｏｗｅｒＯＮ）を、充電装置２００に送信する（Ｓ１４４３）。充電装置２００は、第２の指令（ＰｏｗｅｒＯＮ）を受信すると、図４（ｂ）の指令変換テーブルおよび種別選択スイッチの選択状態に基づいて、テープレコーダ用の第１の指令（ＴＡＰＥ  ＤＣＨＧ）に変換し（Ｓ１４２１）、増幅装置１１に送信する（Ｓ１４２２）。増幅装置１１は第１の指令（ＴＡＰＥ  ＤＣＨＧ）を受信すると（Ｓ１４０１）、システム動作部６０１Ａが、電源回路６０５をオン状態にし（Ｓ１４０２）、セレクタ回路６０４にテープレコーダの音声入力端子を選択させる（Ｓ１４０３）。
【００４４】
［ダイレクトチェンジ連動動作］
本例では、携帯型プレーヤ１３を再生開始させると、自動的に増幅装置１１の電源をオン状態にし、セレクタ回路にテープレコーダの音声入力端子を選択させる。図１５に示すとおり、携帯型プレーヤ１３は、操作者が携帯型プレーヤの操作ボタンを操作することによって、再生を開始する指令が入力されると（Ｓ１５４１）、再生を開始する（Ｓ１５４２）。携帯型プレーヤ１３は、携帯型プレーヤ１３が再生開始したことを通知する第２の指令（Ｐｌａｙ）を、充電装置２００に送信する（Ｓ１５４３）。充電装置２００は、第２の指令（Ｐｌａｙ）を受信すると、指令変換テーブルおよび種別選択スイッチの選択状態に基づいて、テープレコーダ用の第１の指令（ＴＡＰＥ  ＤＨＣＧ）に変換し（Ｓ１５２１）、増幅装置１１に送信する（Ｓ１５２２）。増幅装置１１は、第１の指令（ＴＡＰＥ  ＤＨＣＧ）を受信すると（Ｓ１５０１）、電源がオフ状態であれば電源をオン状態にしたあと（Ｓ１５０２）、セレクタ回路６０４にテープレコーダの音声入力端子を選択させる（Ｓ１５０３）。なお、特に限定されないが、携帯型プレーヤ１３は再生を開始すると、付属機器であるＦＭ（ＲＦ）トランスミッタの電源をオン状態にするために、再生開始したことを通知する指令を送信する。そのため、本例では、このＦＭトランスミッタの電源をオン状態にする指令を上記の指令（Ｐｌａｙ）として利用することができる。
【００４５】
［携帯型プレーヤのタイマーオン連動動作］
本例では、タイマー動作によって携帯型プレーヤ１３を再生開始させると、自動的に増幅装置１１の電源をオン状態にし、セレクタ回路にテープレコーダの音声入力端子を選択させる。図１６に示すとおり、現在時刻が操作者が指定した時刻であると時計処理部５０１Ｃが判断すると（Ｓ１６４１）、携帯型プレーヤ１３は電源をオン状態にする（Ｓ１６４２）。携帯型プレーヤ１３は、携帯型プレーヤ１３の電源がタイマー動作によってオン状態になったことを通知する第２の指令（ＴｉｍｅｒＰｏｗｅｒＯｎ）を充電装置２００に送信する（Ｓ１６４３）。携帯型プレーヤ１３は、再生を開始する（Ｓ１６４４）。充電装置１４は、第２の指令（ＴｉｍｅｒＰｏｗｅｒＯｎ）を受信すると、指令変換テーブルおよび種別選択スイッチの選択状態に基づいて、テープレコーダ用の第１の指令（ＴＡＰＥ  ＤＣＨＧ）に変換し（Ｓ１６２１）、増幅装置１１に送信する（Ｓ１６２２）。増幅装置１１は第１の指令（ＴＡＰＥ  ＤＣＨＧ）を受信すると（Ｓ１６０１）、電源がオフ状態であれば電源をオン状態にしたあと（Ｓ１６０２）、セレクタ回路６０４にテープレコーダの音声入力端子を選択させる（Ｓ１６０３）。
【００４６】
［携帯型プレーヤのタイマーオフ連動動作］
本例では、タイマー動作によって携帯型プレーヤ１３の電源をオフ状態にすると、自動的に増幅装置１１およびＣＤプレーヤの電源をオフ状態にする。図１７に示すとおり、現在時刻が操作者が指定した時刻であると時計処理部５０１Ｃが判断すると（Ｓ１７４１）、携帯型プレーヤ１３は電源をオフ状態にする（Ｓ１７４２）。携帯型プレーヤ１３は、携帯型プレーヤ１３の電源がタイマー動作によってオフ状態になったことを通知する第２の指令（ＴｉｍｅｒＰｏｗｅｒＯｆｆ）を充電装置２００に送信する（Ｓ１７４３）。充電装置２００は、第２の指令（ＴｉｍｅｒＰｏｗｅｒＯｆｆ）を受信すると（Ｓ１７２１）、電源をオフ状態にする第１の指令（ＰＯＦＦ）に変換し（Ｓ１７２１）、増幅装置１１に送信する（Ｓ１７２２）。増幅装置１１は第１の指令（ＰＯＦＦ）を受信すると（Ｓ１７０１）、第１の指令（ＰＯＦＦ）をＣＤプレーヤ１２Ａに転送し（Ｓ１７０２）、電源回路６０５をオフ状態にする（Ｓ１７０３）。ＣＤプレーヤ１２Ａは、第１の指令（ＰＯＦＦ）を受信すると（Ｓ１７６１）、電源をオフ状態にする（Ｓ１７６２）。
【００４７】
［コネクト連動動作］
本例では、携帯型プレーヤ１３を、再生動作中に充電装置２００に接続した場合、自動的に増幅装置１１の電源をオン状態にし、セレクタ回路にテープレコーダの音声入力端子を選択させる。図１８に示すとおり、携帯型プレーヤ１３が再生動作中に充電装置２００に接続されると（Ｓ１８２１、Ｓ１８４１）、携帯型プレーヤ１３は携帯型プレーヤ１３が再生を開始したことを通知する第２の指令（Ｐｌａｙ）を充電装置２００に送信する（Ｓ１８４２）。充電装置２００は、接続検出部２０２Ｃが携帯型プレーヤ１３との接続を検出し（Ｓ１８２２）、かつ、第２の指令（Ｐｌａｙ）を受信すると、指令変換テーブルおよび種別選択スイッチの選択状態に基づいて、テープレコーダ用の第１の指令（ＴＡＰＥ  ＤＣＨＧ）に変換し（Ｓ１８２３）、増幅装置１１に送信する（Ｓ１８２４）。増幅装置１１は第１の指令（ＴＡＰＥ  ＤＣＨＧ）を受信すると（Ｓ１８０１）、電源回路６０５をオン状態にし（Ｓ１８０２）、セレクタ回路６０４にテープレコーダの音声入力端子を選択させる（Ｓ１８０３）。
【００４８】
［電源オン操作］
本例では、操作者の操作によりテープレコーダの電源をオン状態にする指令が増幅装置１１に入力された場合を説明する。図１９に示すとおり、増幅装置１１は、操作者の操作によってテープレコーダの電源をオン状態にする指令が入力されると（Ｓ１９０１）、テープレコーダの電源をオン状態にする第１の指令（ＴＡＰＥ  ＰＯＷＥＲＯＮ）を充電装置２００に送信する（Ｓ１９０２）。充電装置２００は、第１の指令（ＴＡＰＥ  ＰＯＷＥＲＯＮ）を受信すると（Ｓ１９２１）、接続検出部が携帯型プレーヤが接続されていると判断した場合、セレクタ回路がテープレコーダの音声入力端子を選択する第１の指令（ＴＡＰＥ  ＤＣＨＧ）を増幅装置１１に送信する（Ｓ１９２２）。増幅装置１１は、第１の指令（ＴＡＰＥ  ＤＣＨＧ）を受信すると（Ｓ１９０３）、電源回路６０９をオン状態にし（Ｓ１９０４）、セレクタ回路６０４にテープレコーダの音声入力端子を選択させる（Ｓ１９０５）。充電装置２００は、第１の指令（ＴＡＰＥ  ＰＯＷＥＲＯＮ）を、指令変換テーブルに基づいて、第２の指令（ＰｏｗｅｒＯＮ）に変換し（Ｓ１９２３）、携帯型プレーヤ１３に送信する（Ｓ１９２４）。携帯型プレーヤ１３は、第２の指令（ＰｏｗｅｒＯＮ）を受信すると（Ｓ１９４１）、電源をオン状態にする（Ｓ１９４２）。なお、Ｓ１９２２で、携帯型プレーヤが接続されていると判断された場合のみ増幅装置に第１増幅装の指令を送信することにより、携帯型プレーヤが接続されていないにも関わらず増幅装置の電源回路をオン状態にし、無駄な電力が消費されることを防止できる。
【００４９】
［再生操作］
本例では増幅装置１１に操作者がリモコンを操作してテープレコーダを再生する指令を入力した場合について説明する。図２０に示すとおり、増幅装置１１は、テープレコーダを再生開始させる指令がリモコン信号受信回路を介して入力されると（Ｓ２００１）、テープレコーダを再生開始させる第１の指令（ＴＡＰＥ  ＰＬＡＹ）を充電装置２００に送信する（Ｓ２００２）。充電装置２００は、第１の指令（ＴＡＰＥ  ＰＬＡＹ）を受信すると（Ｓ２０２１）、接続検出部が携帯型プレーヤが接続されていると判断した場合、セレクタ回路にテープレコーダの音声入力端子を選択させる第１の指令（ＴＡＰＥ  ＤＨＣＧ）を増幅装置１１に送信する（Ｓ２０２２）。増幅装置１１は、第１の指令（ＴＡＰＥ  ＤＨＣＧ）を受信すると（Ｓ２００３）、電源回路６０９がオフ状態であれば電源回路６０９をオン状態にしたあと（Ｓ２００４）、セレクタ回路６０４にテープレコーダの音声入力端子を選択させる（Ｓ２００５）。充電装置２００は、第１の指令（ＴＡＰＥ  ＰＬＡＹ）を指令変換テーブルに基づいて、第２の指令（Ｐｌａｙ）に変換し（Ｓ２０２３）、携帯型プレーヤ１３に送信する（Ｓ２０２４）。携帯型プレーヤ１３は第２の指令（Ｐｌａｙ）を受信すると（Ｓ２０４１）、再生を開始する（Ｓ２０４２）。なお、Ｓ２０２２で、携帯型プレーヤが接続されていると判断された場合のみ増幅装置に第１増幅装の指令を送信することにより、携帯型プレーヤが接続されていないにも関わらず増幅装置の電源をオン状態にし、無駄な電力が消費されることを防止できる。
【００５０】
［一時停止操作］
本例では増幅装置１１に操作者がリモコンを操作してテープレコーダの再生を一時停止する指令を入力した場合について説明する。図２１に示すとおり、増幅装置１１は、テープレコーダの再生動作を一時停止させる指令がリモコン信号受信回路を介して入力されると（Ｓ２１０１）、第１の指令（ＴＡＰＥ  ＰＡＵＳＥ）を充電装置２００に送信する（Ｓ２１０２）。充電装置２００は、第１の指令（ＴＡＰＥ  ＰＡＵＳＥ）を受信すると、指令変換テーブルに基づいて、第２の指令（Ｐａｕｓｅ）に変換し（Ｓ２１２１）、携帯型プレーヤ１３に送信する（Ｓ２１２２）。携帯型プレーヤ１３は、第２の指令（Ｐａｕｓｅ）を受信すると（Ｓ２１４１）、再生動作を一時停止する（Ｓ２１４２）。
【００５１】
［その他の操作］
図２１と同様に、充電装置２００は、テープレコーダの動作を停止する指令（ＴＡＰＥ  ＳＴＯＰ）、テープレコーダを早送り動作させる指令（ＴＡＰＥ  ＦＦ）、テープレコーダを巻き戻し動作させる指令（ＴＡＰＥ  ＲＥＷ）、またはテープレコーダをスタンバイ状態にする指令（ＴＡＰＥ  ＳＴＡＮＢＹ）を増幅装置１１から受信すると、それぞれ第２の指令に変換し、携帯型プレーヤ１３に送信する。その他の指令についても同様である。また、その他のコンテンツ再生装置（ＣＤプレーヤ等）にはない携帯型プレーヤ特有の操作（第２の指令）をその他のコンテンツ再生装置の第１の指令に割り当てることもできる。例えば、表示画面を変更する第１の指令（ＴＡＰＥ  ＤＩＳＰＬＡＹ）をバックライトを点灯する第２の指令（ＢａｃｋＬｉｇｈｔＯｎ）に変換してもよく、、プログラム再生する第１の指令（ＴＡＰＥ  ＰＲＯＧＲＡＭ）をプレリストを切り換える第２の指令（ＰｌａｙＬｉｓｔＵｐ）に変換してもよい。
【００５２】
次に、本発明の別の好ましい実施形態について説明する。本実施形態の指令変換装置１４（充電装置２００）は、図２に示すとおり、指令入力ボタン（指令入力手段）２１２をさらに備える。指令入力ボタンは、操作者によって押下（操作）された場合に、指令変換装置１４から増幅装置１１に、増幅装置１１の電源をオン状態にしてセレクタ回路を切り換える第１の指令、または増幅装置１１の電源をオフ状態にする第１の指令を送信するものである。どちらの指令を送信するかは携帯型プレーヤが充電装置に接続されているか否かによって決定する。言い換えると、システム動作部２０２Ａによる指令入力ボタンが押下されたか否かの判断内容、および、接続検出部２０２Ｃの携帯型プレーヤ１３が接続されているか否かの判断内容に基づいて、システム動作部２０２Ａが最適な第１の指令を増幅装置１１に送信する。
【００５３】
まず、指令変換装置１４の処理について図２２を参照して説明する。システム動作部２０２Ａは指令入力ボタン２１２が押されたことを判断すると（Ｓ２２０１：ＹＥＳ）、接続検出部２０２Ｃが携帯型プレーヤ１３が接続されているか否かを判断する（Ｓ２２０２）。携帯型プレーヤ１３が接続されていれば（Ｓ２２０２：ＹＥＳ）、システム動作部２０２Ａは増幅装置１１に第１の指令（ＴＡＰＥ  ＤＣＨＧ）を送信し（Ｓ２２０３）、携帯型プレーヤ１３に第２の指令（Ｐｌａｙ）を送信する（Ｓ２２０４）。携帯型プレーヤ１３が接続されていなければ（Ｓ２２０２：ＮＯ）、システム動作部２０２Ａは増幅装置１１に第１の指令（ＰＯＦＦ）を送信する（Ｓ２２０５）。
【００５４】
ここで、本実施形態のコンテンツ再生システム全体の動作を説明する。まず、図２３を用いて、携帯型プレーヤ１３が充電装置２００に接続されている場合を説明する。携帯型プレーヤ１３が充電装置２００に接続されると（Ｓ２３２１、Ｓ２３４１）、接続検出部２０２Ｃが携帯型プレーヤ１３が接続されたことを検出する（Ｓ２３２２）。充電装置２００のシステム動作部２０２Ａは、指令入力ボタンが押されたことを判断すると（Ｓ２３２３）、増幅装置１１に第１の指令（ＴＡＰＥ  ＤＣＨＧ）を送信する（Ｓ２３２４）。増幅装置１１は第１の指令（ＴＡＰＥ  ＤＣＨＧ）を受信すると、電源回路をオン状態にし（Ｓ２３０２）、セレクタ回路にテープレコーダの音声入力端子を選択させる（Ｓ２３０３）。充電装置２００は、第１の指令（Ｐｌａｙ）を携帯型プレーヤ１３に送信する（Ｓ２３２５）。携帯型プレーヤ１３は、第１の指令（Ｐｌａｙ）を受信すると（Ｓ２３４２）、再生を開始する（Ｓ２３４３）。
【００５５】
図２４を用いて、携帯型プレーヤ１３が充電装置２００に接続されていない場合を説明する。充電装置２００のシステム動作部２０２Ａは、指令入力ボタンが押されたことを判断すると（Ｓ２４２１）、増幅装置１１に第１の指令（ＰＯＦＦ）を送信する（Ｓ２４２２）。増幅装置１１は第１の指令（ＰＯＦＦ）を受信すると（Ｓ２４０１）、第１の指令（ＰＯＦＦ）をＣＤプレーヤ１２Ａに転送し（Ｓ２４０２）、電源回路をオフ状態にする（Ｓ２４０３）。ＣＤプレーヤ１２Ａは、第１の指令（ＰＯＦＦ）を受信すると（Ｓ２４６１）、電源をオフ状態にする（Ｓ２４６２）。
【００５６】
以上のように、本実施形態では、携帯型プレーヤ１３が充電装置に接続された状態で指令入力ボタンが押下されると、増幅装置１１の電源をオン状態にし、かつ、セレクタ回路にテープレコーダの音声入力端子を選択させ、携帯型プレーヤを再生させることができる。一方、携帯型プレーヤ１３が充電装置から取り外され（すなわち、携帯型プレーヤ１３が充電装置に接続されていない状態で）、指令入力ボタンが押下されると、増幅装置１１（およびＣＤプレーヤ１２Ａ等の他のコンテンツ再生装置１２）の電源を自動的にオフ状態にすることができる。つまり、操作者は単に指令入力ボタンを押下するだけで、充電装置２００が、接続検出に基づいて、自動的に最適な第１の指令を増幅装置に送信し、最適な第２の指令を携帯型プレーヤに送信することができる。
【００５７】
以上、本発明の好ましい実施形態を説明したが、本発明はこれらの実施形態には限定されない。コンテンツ再生装置１２および指令変換装置１４は通信ケーブルを介して増幅装置１１に直列に接続されていてもよい。また、コンテンツ再生装置が再生するコンテンツは音声に限らず、映像または静止画等であってもよい。また、種別選択スイッチが、アナログのテープレコーダおよびデジタルのテープレコーダ（ＤＡＴ）のように、アナログ再生装置とデジタル再生装置とを含んでいてもよい。また、音声信号の入出力端子が、デジタル入出力端子であってもよい。また、本発明は、上記の動作をコンピュータに実行させるためのコンピュータプログラムという形態で提供することもできる。
【産業上の利用可能性】
【００５８】
本発明は、増幅装置、ＣＤプレーヤおよびＭＤレコーダ等のコンテンツ再生システムに、このシステムの指令に対応していない携帯型プレーヤ（ＨＤＤプレーヤ、ＭＤプレーヤ等）を組み合わせる際に好適に採用され得る。
【図面の簡単な説明】
【００５９】
【図１】コンテンツ再生システム１０を示すブロック図である。
【図２】充電装置２００（指令変換装置１４）の構成示す概略図である。
【図３】種別選択スイッチ２０１Ａの構成を示す概略図である。
【図４】指令変換テーブル２０３Ａを示す概略図である。
【図５】携帯型プレーヤ１３の構成を示す概略図である。
【図６】増幅装置１１の構成を示す概略図である。
【図７】コンテンツ再生システムの接続構成を示す概略図である。
【図８】指令変換装置の動作を示すフローチャートである。
【図９】指令変換装置の動作を示すフローチャートである。
【図１０】システムオン連動動作を示すフローチャートである。
【図１１】システムオフ連動動作を示すフローチャートである。
【図１２】システムタイマーオン連動動作を示すフローチャートである。
【図１３】ダイレクトプレイ連動動作を示すフローチャートである。
【図１４】オートパワーオン連動動作を示すフローチャートである。
【図１５】ダイレクトチェンジ連動動作を示すフローチャートである。
【図１６】タイマーオン連動動作を示すフローチャートである。
【図１７】タイマーオフ連動動作を示すフローチャートである。
【図１８】コネクト連動動作を示すフローチャートである。
【図１９】電源オン操作を示すフローチャートである。
【図２０】再生操作を示すフローチャートである。
【図２１】一時停止操作を示すフローチャートである。
【図２２】本発明の別の好ましい実施形態の充電装置の処理を示すフローチャートである。
【図２３】携帯型プレーヤが接続されている場合に、指令入力ボタンが押された際のシステムの動作を示すフローチャートである。
【図２４】携帯型プレーヤが接続されていない場合に、指令入力ボタンが押された際のシステムの動作を示すフローチャートである。
【符号の説明】
【００６０】
１１            増幅装置
１２、１３      コンテンツ再生装置
１４            指令変換装置
２００          充電装置
２０２Ｂ        変換部
２０３Ａ        指令変換テーブル
２０８          電源供給回路
【図１】
2006244607.tif 000003
【図２】
2006244607.tif 000004
【図３】
2006244607.tif 000005
【図４】
2006244607.tif 000006
【図５】
2006244607.tif 000007
【図６】
2006244607.tif 000008
【図７】
2006244607.tif 000009
【図８】
2006244607.tif 000010
【図９】
2006244607.tif 000011
【図１０】
2006244607.tif 000012
【図１１】
2006244607.tif 000013
【図１２】
2006244607.tif 000014
【図１３】
2006244607.tif 000015
【図１４】
2006244607.tif 000016
【図１５】
2006244607.tif 000017
【図１６】
2006244607.tif 000018
【図１７】
2006244607.tif 000019
【図１８】
2006244607.tif 000020
【図１９】
2006244607.tif 000021
【図２０】
2006244607.tif 000022
【図２１】
2006244607.tif 000023
【図２２】
2006244607.tif 000024
【図２３】
2006244607.tif 000025
【図２４】
2006244607.tif 000026
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
複数種別の第１の指令を送受信し、該第１の指令に基づいた動作を実行する増幅装置と、第２の指令を送受信し、該第２の指令に基づいた動作を実行するコンテンツ再生装置とに接続可能であり、
該第１の指令の種別を選択する選択手段と、
該選択手段によって選択された種別に対応する第１の指令を該増幅装置から受信した場合、該受信した第１の指令を該第２の指令に変換し、該コンテンツ再生装置に送信する変換手段とを備える、指令変換装置。
【請求項２】
前記第２の指令を前記コンテンツ再生装置から受信した場合、前記変換手段が、該第２の指令を、前記選択手段が選択する種別に対応する第１の指令に変換し、前記増幅装置に送信する、請求項１に記載の指令変換装置。
【請求項３】
前記変換手段が、前記複数種別の第１の指令と前記第２の指令とを対応付ける指令変換テーブルと、
前記選択手段の選択状態および該指令変換テーブルに基づいて、該第１の指令を該第２の指令に変換する、または、該第２の指令を該第１の指令に変換する変換部とを有する、請求項２に記載の指令変換装置。
【請求項４】
前記選択手段によって選択されていない種別の第１の指令を前記増幅装置から受信した場合、前記変換手段が、該受信した第１の指令に対応する第２の指令を前記コンテンツ再生装置に送信しない、請求項１〜３のいずれかに記載の指令変換装置。
【請求項５】
前記コンテンツ再生装置が接続されたか否かを判断する接続検出手段と、
指令入力手段と、
該指令入力手段が操作されたか否かを判断する判断手段と、
該接続検出手段の判断内容および該判断手段の判断内容に基づいて、前記第１の指令を前記増幅装置に送信する、および／または、前記第２の指令を前記コンテンツ再生装置に送信する指令送信手段とをさらに備える、請求項１〜４のいずれかに記載の指令変換装置。
【請求項６】
前記指令送信手段が、前記判断手段が前記指令入力手段が操作されたと判断し、かつ、前記接続検出手段が前記コンテンツ再生装置が接続されていると判断した場合、前記増幅装置に電源回路をオン状態にする第１の指令および／またはセレクタ回路に前記選択手段によって選択された種別の音声信号入力端子を選択させる第１の指令を送信し、前記コンテンツ再生装置に再生を開始する第２の指令を送信し、
該判断手段が該指令入力手段が操作されたと判断し、かつ、該接続検出手段が該コンテンツ再生装置が接続されていないと判断した場合、該増幅装置に電源回路をオフ状態にする第１の指令を送信する、請求項５に記載の指令変換装置。
【請求項７】
前記コンテンツ再生装置の電源がオン状態になったことを通知する第２の指令、または、前記コンテンツ再生装置が再生開始したことを通知する第２の指令を受信した場合、前記変換手段が、前記増幅装置の電源をオン状態にする第１の指令、および、前記選択手段によって選択された種別の音声入力端子を選択する第１の指令に変換して、該増幅装置に送信する、請求項２に記載の指令変換装置。
【請求項８】
前記コンテンツ再生装置が接続されているか否かを検出する接続検出手段をさらに備え、
前記選択手段によって選択された種別に対応する第１の指令を受信したとき、該接続検出手段が該コンテンツ再生装置との接続を検出した場合に、前記増幅装置に所定の第１の指令を送信し、該接続検出手段が該コンテンツ再生装置との接続を検出しない場合、該増幅装置に該第１の指令を送信しない、請求項１に記載の指令変換装置。
【請求項９】
前記選択手段によって選択された種別に対応する、電源をオン状態にする第１の指令、または、再生を開始する第１の指令を受信したとき、前記接続検出手段が前記コンテンツ再生装置との接続を検出した場合、電源をオン状態にする第１の指令、および、前記選択手段によって選択された種別の音声入力端子を選択する第１の指令を前記増幅装置に送信し、電源をオン状態にする第２の指令、または、再生を開始する第２の指令を該コンテンツ再生装置に送信する、請求項８に記載の指令変換装置。
【請求項１０】
請求項１〜９のいずれかに記載の指令変換装置と、
前記コンテンツ再生装置に電源電圧を供給する電源供給回路と、
前記コンテンツ再生装置から音声信号を受信する音声信号受信手段と、
前記増幅装置に該音声信号を送信する音声信号送信手段とを備える、コンテンツ再生装置の充電装置。